(57)【特許請求の範囲】
【請求項１】
地盤面から突出する束を有し、互いに距離を隔てて構築された複数の独立基礎と、隣接する独立基礎の束間に、下端面が地盤面に接触した状態で、または地盤面から浮いた状態で架設される基礎梁からなり、基礎梁の、建物の外周側の面は連接して配置される複数の基礎化粧パネルで覆われ、基礎梁にはその軸方向に間隔をおいて複数個の貫通孔が設けられ、各基礎化粧パネルには把手を兼ねる貫通把手孔が設けられ、この貫通把手孔は基礎梁の貫通孔と連通していることを特徴とする建物の基礎構造。
【請求項２】
各基礎化粧パネルは基礎梁に着脱自在に取り付けられている請求項１記載の建物の基礎構造。
【請求項３】
基礎化粧パネルで覆われた基礎に配管を施工する方法において、基礎化粧パネルを基礎梁，または土台梁の、建物の外周側の面に連接して着脱自在に取り付けた状態で、配管施工する部分の基礎化粧パネルを取り外し、基礎梁，または土台梁を貫通して建物内部から外部へ配管した後、別途用意された配管用貫通孔を有する基礎化粧パネルの配管用貫通孔に前記配管を貫通させながらその基礎化粧パネルを既に取り外されている基礎化粧パネルの部分に取り付ける基礎における配管施工方法。
【請求項４】
基礎は、地盤面から突出する束を有し、互いに距離を隔てて構築された複数の独立基礎と、隣接する独立基礎の束間に、下端面が地盤面に接触した状態で、または地盤面から浮いた状態で架設される基礎梁からなり、複数の基礎化粧パネルは基礎梁の、建物の外周側の面に着脱自在に取り付けられる請求項３記載の基礎における配管施工方法。
【請求項５】
基礎梁，または土台梁にはその軸方向に間隔をおいて複数個の貫通孔が設けられている請求項３または請求項４記載の基礎における配管施工方法。
【請求項６】
各基礎化粧パネルには把手を兼ねる貫通把手孔が設けられ、この貫通把手孔は基礎梁，または土台梁に取り付けた状態でその貫通孔と連通する請求項５記載の基礎における配管施工方法。
【発明の詳細な説明】
【０００１】
【産業上の利用分野】
この発明は基礎梁部分の根切りを不要にした建物の基礎構造と、それに対して配管を施工する配管施工方法に関するものである。
【０００２】
【従来技術及び発明が解決しようとする課題】
独立基礎をつなぐ鉄筋コンクリート造の基礎梁は独立基礎の束からフーチング部分までの成を持ち、下側の半分程度まで地中に埋め込まれることから、根切りが必要であり、掘削に伴う残土処理の問題が生ずる他、型枠工事と配筋工事が地中での作業であるため施工性が悪く、工期が長引く等の問題がある。
【０００３】
これらの問題に対し、出願人は先に基礎梁に鉄骨部材やプレキャストコンクリート部材を用いると共に、その下端面を地盤面上に位置させることにより根切りを不要にし、施工性を高めた基礎構造を提案している（特願平5-143265号）が、この種の工期短縮を目標とした、部品化した基礎梁は部品間の継ぎ目や材質の違いが目立つため外観上、現場打ちコンクリート造の場合に比べ、見栄えが低下する傾向がある。
【０００４】
一方、鉄筋コンクリート造で基礎梁を構築する場合、床下換気口の形成には型枠工事で特別の手間を要する他、強度上、形成個数や大きさが制限され、十分な換気が得られない場合がある。
【０００５】
また鉄筋コンクリート造の基礎梁では建物の完成後に基礎梁の一部が破損，汚損した場合の補修、あるいは完成後の基礎の増築や表面意匠の変更は基礎梁自身に対して行う必要があり、コンクリートの斫り作業を伴うため容易ではない。
【０００６】
基礎梁を現場打ちコンクリート造で構築し、その基礎梁を配管が貫通する形になる場合には、コンクリートの打設前に貫通孔位置にスリーブを入れる必要がある。この工程を怠ると孔明けのための斫り工事が必要となり、コストと労力を要することに加え、基礎梁の完成後に孔明けを行うには配筋されている鉄筋を避けなければならないため貫通孔位置の変更を余儀なくされることもある。
【０００７】
また設備配管工事は基礎梁が完成し、ある程度躯体が立ち上がらなければ着手できない工事であるため設備配管工は基礎梁の完成前後に現場に立ち入る必要があり、その時期を自由に選択することはできない。
【０００８】
更に基礎梁の完成後に設備配管の補修、変更、増設、新設及びそれらに伴う配管の点検や検査の必要が生じたときには鉄筋コンクリート造では堅牢であるため非常なコストと労力を要する。
【０００９】
この発明は前記既出願発明を派生させると同時に、部品化された基礎梁の意匠の問題や鉄筋コンクリート造基礎梁の換気、あるいは配管の問題を踏まえてなされたもので、意匠性や換気性を高め、また配管の便宜を図る基礎構造と、配管の施工方法を提案するものである。
【００１０】
【課題を解決するための手段】
本発明では独立基礎間に架設される基礎梁の建物の外周側の面を、連接して配置される複数の基礎化粧パネルで覆うことにより部品化した基礎梁の外観を整備し、また基礎化粧パネルに把手を兼用する貫通孔を明け、基礎化粧パネルを基礎梁に着脱自在に取り付けることにより基礎梁における換気を確保し、配管に対応する。
【００１１】
独立基礎は地盤面から突出する束を有し、互いに距離を隔てて構築され、基礎梁は隣接する独立基礎の束間に、下端面が地盤面に接触した状態で、または地盤面から浮いた状態で架設される。
【００１２】
予め製作された基礎梁の、建物外周側の面が基礎化粧パネルで覆われることにより部品間の継ぎ目や材質の違いによる意匠性の低下は解消される。
【００１３】
基礎梁における換気性は基礎梁にその軸方向に間隔をおいて複数個の貫通孔を設けると共に、各基礎化粧パネルに把手を兼ねる貫通把手孔を設け、貫通把手孔を基礎梁の貫通孔と連通させることにより確保され、その効率は貫通孔と貫通把手孔の数や大きさを調整することにより向上する。また基礎化粧パネルの取り付け、あるいは取り外しの作業性は貫通把手孔を把手として利用することにより上がり、貫通把手孔は取り付け後、床下換気性の向上に寄与する。
【００１４】
更に各基礎化粧パネルが基礎梁に着脱自在に取り付けられることにより、基礎梁の一部が破損，汚損した場合の補修、あるいは完成後の基礎の増築や表面意匠の変更時には基礎化粧パネル毎に着脱させて作業すればよく、基礎化粧パネル自身の破損，汚損時の交換、及び基礎の増築に伴う追加や模様替えにも容易に対応する。
【００１５】
基礎化粧パネルで覆われた基礎に配管を施工する場合、基礎化粧パネルを基礎梁，または土台梁の、建物の外周側の面に連接して着脱自在に取り付けた状態で、配管施工する部分の基礎化粧パネルを取り外し、基礎梁，または土台梁を貫通して建物内部から外部へ配管した後、別途用意された配管用貫通孔を有する基礎化粧パネルの配管用貫通孔に前記配管を貫通させながらその基礎化粧パネルを既に取り外されている基礎化粧パネルの部分に取り付ける、という要領で行われる。
【００１６】
基礎梁が鉄筋コンクリート造の場合には設備配管工事の時期は基礎梁の完成前後に制限されるが、基礎化粧パネルが基礎梁に着脱自在に取り付けられることにより基礎化粧パネルを含む基礎梁の完成後にも配管工事が行え、工程上の自由度が増す。
【００１７】
基礎が、地盤面から突出する束を有し、互いに距離を隔てて構築された複数の独立基礎と、隣接する独立基礎の束間に、下端面が地盤面に接触した状態で、または地盤面から浮いた状態で架設される基礎梁からなり、複数の基礎化粧パネルが基礎梁の、建物の外周側の面に着脱自在に取り付けられる場合には、根切りが不要になる結果、施工性が高まり、工期の短縮化が図られる。
【００１８】
また基礎梁，または土台梁にその軸方向に間隔をおいて複数個の貫通孔を設けておくことにより基礎完成後の配管の便宜が図られ、基礎梁が鉄筋コンクリート造である場合の斫り工事が不要になる。
【００１９】
更に各基礎化粧パネルに把手を兼ねる貫通把手孔を設け、この貫通把手孔を基礎梁，または土台梁の貫通孔と連通させることにより作業性の向上と換気性の向上が図られる。
【００２０】
【実施例】
まず請求項１記載の発明を説明する。
【００２１】
この発明の基礎１は図１に示すように地盤面から突出する束21を有し、互いに距離を隔てて構築された複数の独立基礎２と、隣接する独立基礎２，２の束21，21間に、下端面が地盤面に接触した状態で、または地盤面から浮いた状態で架設される基礎梁３からなり、基礎梁３の、建物の外周側の面を連接して配置される複数の基礎化粧パネル４で覆い、外部から基礎梁３を隠蔽したものである。
【００２２】
独立基礎２と基礎梁３の接合部を示す図２，図３では基礎梁３に鉄骨部材を使用し、接合の便宜より独立基礎２の束21にも箱形断面形状の鉄骨部材を使用しているが、他にプレキャストコンクリート製や鉄骨部材との複合構造等、基礎梁３や独立基礎２の構造は実施例に限られない。
【００２３】
実施例では予め基礎梁３を接続した状態で束21を設置していることから、束21の設置時の位置決めを行うために束21の底面にそのレベル調整を行うベースプレート51を接合すると共に、その外周に環状部材52を接合し、独立基礎２のフーチング22を環状部材52とその内部に充填されるコンクリートやモルタル等のグラウト材53から構成している。ベースプレート51のレベル調整は先行して設置されるレベル調整ボルト54によって行われる。
【００２４】
図２，図３は基礎１を杭61に支持させた場合の実施例を示す。ここでは杭61に鋼管を使用しているが、施工は杭61を地盤中に設置した後、杭頭周辺を局部的に掘削し、ここに独立基礎２のフーチング22を構成する環状部材52中に充填されたグラウト材53を支持するドライモルタル62を充填し、束21をドライモルタル62上に設置する、という要領で行われる。杭頭上には束21に接合されたベースプレート51のレベル調整を行うレベル調整ボルト54が螺合した杭頭キャップ63が設置される。レベル調整ボルト54は杭頭キャップ63から上方へ突出し、杭頭キャップ63はその下面に突設されたアンカー筋64が、鋼管の杭61の内部に充填されるグラウト材53中に埋め込まれることにより杭61に定着される。
【００２５】
杭頭キャップ63の設置後、基礎梁３が接続し、環状部材52が一体化した束21がドライモルタル62上に設置され、ベースプレート51がレベル調整ボルト54上に載置される。束21の水平面内の位置調整はベースプレート51がレベル調整ボルト54上に載った状態で環状部材52をドライモルタル62上をスライドさせることにより行われ、レベル調整はレベル調整ボルト54の高さを調整することにより行われる。束21の水平面内の位置調整は環状部材52が杭頭キャップ63に外接可能な範囲内で行われ、その範囲内で杭61と束21との施工誤差が吸収される。束21のレベル調整後、図３に示すようにベースプレート51に明けられた開口から環状部材52の内部にグラウト材53を充填して基礎１が完成する。
【００２６】
基礎化粧パネル４は基礎梁３の、建物の外周側の面に互いに隣接し、連続的に配置されて基礎梁３の意匠を構成する。基礎化粧パネル４はＰＣ板，またはサイディング材で製作され、その表面には図４，図５に示すような意匠が施される。
【００２７】
図４は刷毛引き風の模様、図５はコンクリート打ち放し（せき板）風の模様を付けた場合である。基礎化粧パネル４の基礎梁３への取付要領は下記に説明する通りである。
【００２８】
基礎梁３にその軸方向に間隔をおいて複数個の貫通孔31を明けると共に、各基礎化粧パネル４に把手を兼ねる貫通把手孔41を設け、貫通把手孔41を基礎梁３の貫通孔31と連通させることにより床下の換気を行うことができる。また、請求項２記載の発明にあっては、各基礎化粧パネル４を基礎梁３に着脱自在に取り付けることにより基礎梁３の外観を構成する基礎化粧パネル４の破損，汚損時の交換、あるいは基礎１の増築や模様替えに対応することができる。
【００２９】
基礎梁３の貫通孔31はウェブ30部分の一部に形成され、基礎化粧パネル４の貫通把手孔41もその一部に形成される。基礎化粧パネル４の長さと貫通把手孔41の位置は基礎梁３の貫通孔31の間隔に応じて任意に設定される（例えば 480mmピッチ）。
【００３０】
図６に示すように基礎梁３のウェブ30には基礎化粧パネル４を受けるための受け部材７が固定され、基礎化粧パネル４の基礎梁３側の面には受け部材７に支持される支持部材８が固定され、基礎化粧パネル４は図６，図７に示すように支持部材８が受け部材７に係合し、接合されることによって基礎梁３に対して着脱自在に接続される。
【００３１】
受け部材７は基礎化粧パネル４を安定させて支持するために、上下に距離を隔てた接合部71と被係合部72を持ち、基礎梁３のウェブ30に重なり、ウェブ30を貫通するボルト91とナット92によって固定される。実施例では受け部材７を基礎梁３の貫通孔31回りを補強する形で固定していることから、受け部材７の、貫通孔31に対応する位置に開口73を形成している。受け部材７の被係合部72には、下記の支持部材８の係合部82を受けたときの安定性を確保するためにストッパ74が固定される。
【００３２】
支持部材８は受け部材７の接合部71に突き当たる接合部81と、被係合部72に係合する係合部82を持ち、受け部材７と同様に基礎化粧パネル４に重なり、基礎化粧パネル４の内部に埋め込まれたボルト101 が、支持部材８の受け部材７側のナット102 に螺合することによって固定される。
【００３３】
基礎化粧パネル４の貫通把手孔41と基礎梁３の貫通孔31は図８に示すように両者間の空気層を通じて連通することから、貫通把手孔41の形成位置は貫通孔31に対応した位置に限定されないが、実施例では、支持部材８を受け部材７に接合するための作業用の孔として利用するために、受け部材７の接合部71に対応した位置に貫通把手孔41を形成している。接合部81と接合部71のボルト111 ，またはねじによる接合は貫通把手孔41を通じて基礎化粧パネル４の表面側から行われることから、支持部材８の、貫通孔31に対応した位置には開口83が形成される。ボルト111 やねじは受け部材７の接合部71の背面側に固定されたナット112 に螺合する。貫通把手孔41は図６に示すように各基礎化粧パネル４に付き、２箇所に形成されることにより基礎化粧パネル４を持ち上げ、設置する際の把手として利用され、基礎梁３への取付後は換気孔となる。
【００３４】
基礎化粧パネル４の基礎梁３への取付は、基礎梁３に受け部材７を固定する一方、基礎化粧パネル４に支持部材８を固定しておき、支持部材８の係合部82を受け部材７の被係合部72に係合させた状態で、貫通把手孔41から差し込まれるボルト111 やねじをナット112 に螺合させることにより接合部81を接合部71に接合する、という要領で行われる。
【００３５】
基礎化粧パネル４の下部は図８に示すように地中に埋め込まれることから、基礎化粧パネル４の上端と基礎梁３との間での水密性が問題になるが、両者間の水密性は基礎化粧パネル４の基礎梁３側の面に敷設された気密材43が基礎梁３に密着することにより確保される。
【００３６】
請求項３記載の発明は基礎化粧パネル４で覆われた基礎１に配管12を施工する方法において、基礎化粧パネル４を基礎梁３，または土台梁の、建物の外周側の面に連接して着脱自在に取り付けた状態で、配管施工する部分の基礎化粧パネル４を取り外し、基礎梁３，または土台梁を貫通して建物内部から外部へ配管した後、別途用意された配管用貫通孔42を有する基礎化粧パネル４′の配管用貫通孔42に前記配管12を貫通させながらその基礎化粧パネル４′を既に取り外されている基礎化粧パネル４の部分に取り付ける方法である。
【００３７】
配管12が貫通する基礎化粧パネル４′には貫通把手孔41とは別に配管用貫通孔42が形成され、この配管用貫通孔42に配管12が貫通する。配管12は電気配線、給排水管、ガス管その他の設備配管を含む。
【００３８】
請求項４記載の発明は請求項１記載発明における基礎１を対象とし、請求項３記載の発明を実施する方法である。
【００３９】
図９は請求項４記載発明の施工要領を示すが、この施工は新たに配管12が貫通する位置の基礎化粧パネル４を取り外し、配管工事を完了させた後、配管用貫通孔42を有する基礎化粧パネル４′を改めて基礎梁３に取り付ける、という要領で行われる。配管12を撤去する場合には逆に、配管用貫通孔42を有する基礎化粧パネル４′を配管用貫通孔42を有しない基礎化粧パネル４に取り替えればよい。図９中からは受け部材７と支持部材８を省略してある。図10は施工完了後の様子を示す。
【００４０】
基礎梁が現場打ちコンクリート造の場合には事後に配管のための孔を明けることが困難である上、その作業には基礎梁中に配筋されている鉄筋を切断しないよう、高い精度を必要とするが、本発明では建物の完成後に配管12貫通の必要が生じた場合には、その箇所の基礎化粧パネル４のみを配管用貫通孔42を有する基礎化粧パネル４′に交換すればよく、また配管12の点検はそれが貫通している基礎化粧パネル４′に隣接する基礎化粧パネル４を取り外すことにより行える。
【００４１】
【発明の効果】
請求項１記載の発明は基礎梁の建物の外周側の面を、連接して配置される複数の基礎化粧パネルで覆うものであるため部品化した基礎梁の外観を整備でき、基礎梁部分の意匠を向上させることができる。また予め製作された基礎梁を、その下端面を地盤面上に位置させて独立基礎間に架設して構成されるため、基礎梁部分の根切り工事が不要であり、残土問題が解消される。加えて型枠工事と配筋工事も不要で、地盤面下での作業が独立基礎部分のみであるため作業性が高まる他、独立基礎の構築と基礎梁との接続のみで基礎が完成するため工期が短縮される利点がある。
【００４２】
また、基礎梁にその軸方向に間隔をおいて複数個の貫通孔を設けると共に、各基礎化粧パネルに把手を兼ねる貫通把手孔を設け、貫通把手孔を基礎梁の貫通孔と連通させるため、基礎梁における換気性が確保され、貫通孔と貫通把手孔の数や大きさを調節することにより換気効率の向上が図られることに加え、貫通把手孔が把手を兼ねるため基礎化粧パネルの着脱作業性が高い。
【００４３】
請求項２記載の発明では基礎梁の外部を覆う基礎化粧パネルが独立して基礎梁に着脱自在に取り付けられるため基礎梁の一部が破損，汚損した場合の補修、あるいは完成後の基礎の増築や表面意匠の変更時には基礎化粧パネル毎に着脱させて行えばよく、基礎化粧パネル自身の破損，汚損時の交換、及び基礎の増築に伴う追加や模様替えにも容易に対応できる。
【００４４】
請求項３記載の発明は基礎化粧パネルで覆われた基礎に配管を施工する場合に、配管施工する部分の基礎化粧パネルを、別途用意された配管用貫通孔を有する基礎化粧パネルに交換する方法であるため基礎化粧パネルを含む基礎梁の完成後にも配管工事が行え、他の工事による工程上の制約が減り、工程上の自由度が増す。
【００４５】
請求項４記載発明では基礎が、地盤面から突出する束を有し、互いに距離を隔てて構築された複数の独立基礎と、隣接する独立基礎の束間に、下端面が地盤面に接触した状態で、または地盤面から浮いた状態で架設される基礎梁からなり、複数の基礎化粧パネルが基礎梁の、建物の外周側の面に着脱自在に取り付けられるため根切りが不要になる結果、施工性が高まり、工期の短縮化が図られる。
【００４６】
請求項５記載発明では基礎梁，または土台梁にその軸方向に間隔をおいて複数個の貫通孔を設けておくため基礎完成後の配管の便宜が図られ、基礎梁が鉄筋コンクリート造である場合の斫り工事が不要になる。
【００４７】
請求項６記載発明では各基礎化粧パネルに把手を兼ねる貫通把手孔を設け、この貫通把手孔を基礎梁，または土台梁の貫通孔と連通させるため作業性の向上と換気性の向上が図られる。
【図面の簡単な説明】
【図１】  基礎梁と独立基礎の関係を示した立面図である。
【図２】  基礎梁と独立基礎の接合部を示した縦断面図である。
【図３】  図２の平面図である。
【図４】  基礎化粧パネルの表面意匠の例を示した立面図である。
【図５】  基礎化粧パネルの表面意匠の他の例を示した立面図である。
【図６】  基礎梁への受け部材の取付要領と基礎化粧パネルへの支持部材の取付要領を示した斜視図である。
【図７】  基礎梁への基礎化粧パネルの取付要領を示した斜視図である。
【図８】  基礎梁と基礎化粧パネルの接合状態を示した縦断面図である。
【図９】  配管の施工時の様子を示した斜視図である。
【図１０】  配管用貫通孔を有する基礎化粧パネルの使用状態を示した斜視図である。
【符号の説明】
１……基礎、２……独立基礎、21……束、22……フーチング、３……基礎梁、
30……ウェブ、31……貫通孔、４……基礎化粧パネル、41……貫通把手孔、
43……気密材、４′……基礎化粧パネル、42……配管用貫通孔、51……ベースプレート、
52……環状部材、53……グラウト材、54……レベル調整ボルト、61……杭、62……ドライモルタル、63……杭頭キャップ、64……アンカー筋、７……受け部材、71……接合部、72……被係合部、73……開口、８……支持部材、81……接合部、
82……係合部、83……開口、91……ボルト、92……ナット、101 ……ボルト、
102 ……ナット、111 ……ボルト、112 ……ナット、12……配管。
【図１】
0003638031.tif 000002
【図２】
0003638031.tif 000003
【図３】
0003638031.tif 000004
【図４】
0003638031.tif 000005
【図５】
0003638031.tif 000006
【図６】
0003638031.tif 000007
【図７】
0003638031.tif 000008
【図８】
0003638031.tif 000009
【図９】
0003638031.tif 000010
【図１０】
0003638031.tif 000011